(57)【要約】【課題】ドアパネルに気圧差や風圧などによる押し付け力が加わっても、そのドアパネルを所定の戸閉位置にまで円滑に移動させることができるともに、そのガイド機構の損傷を長期間に渡って防止して耐久性を高めることができる乗り場ドア装置を提供する。【解決手段】ドアパネルの下部から突出して敷居７のガイド溝８内に嵌合された摺動部材２４と、外周面の一部がガイド溝８の側面８ａから突出するように敷居７に回転自在に設けられたローラ２６，２７と、ドアパネルの下部から突出して敷居７のガイド溝８内にその側面８ａと接触せずに挿入されたガイド部材１９，２１とを具備し、ドアパネルが戸閉方向に移動して戸閉直前の位置に達したときに、ガイド部材１９，２１をローラ２６，２７に接触させて摺動部材２４のガイド溝８に対する面圧を低減させ、ローラ２６，２７の回転でドアパネルを戸当り部までガイドする。【選択図】    図４
2005096980.tif 000002
【特許請求の範囲】
【請求項１】
エレベータ乗り場の乗降口上部に移動自在に懸架されてその乗降口を開閉するドアパネルと、
前記ドアパネルの下方に設けられ、上面にガイド溝を有する敷居と、
前記ドアパネルの下部から突出して前記敷居のガイド溝内に嵌合された摺動部材と、
外周面の一部が前記ガイド溝の側面から突出するように前記敷居に回転自在に設けられたローラと、
前記ドアパネルの下部から突出して前記敷居のガイド溝内に該ガイド溝の側面と接触せずに挿入され、前記ドアパネルが戸閉方向に移動して戸閉直前の位置に達するときに前記ローラに接触するガイド部材と、
を具備することを特徴とするエレベータの乗り場ドア装置。
【請求項２】
前記摺動部材と前記ローラは上下に位置をずらして設けられ、その位置のずれにより前記ドアパネルの移動時に前記摺動部材と前記ローラとが接触しない構成となっていることを特徴とする請求項１に記載のエレベータの乗り場ドア装置。
【請求項３】
前記ドアパネルの１枚に対して、少なくとも２個の摺動部材と、少なくとも２個のローラと、少なくとも２個のガイド部材とを備え、前記ドアパネルの戸袋側に配置する前記ローラの前記ガイド溝の側面に対する突出量が、前記ドアパネルの戸当り側に配置する前記ローラの前記ガイド溝の側面に対する突出量より小さい関係にあり、この関係により前記ドアパネルの戸当り側に配置する前記摺動部材が前記ドアパネルの戸袋側に配置する前記ローラと接触せずに通過することが可能となっていることを特徴とする請求項１または２に記載のエレベータの乗り場ドア装置。
【請求項４】
前記ローラは転がり軸受で構成され、前記ガイド部材は金属または合成樹脂により構成されていることを特徴とする請求項１ないし３のいずれかに記載のエレベータの乗り場ドア装置。
【請求項５】
前記ローラおよびガイド部材は、建屋の特定の階床のエレベータ乗り場に対してのみ設けられていることを特徴とする請求項１ないし４のいずれかに記載のエレベータの乗り場ドア装置。
【発明の詳細な説明】
【技術分野】
【０００１】
この発明は、建屋のエレベータ乗り場に設けられるドア装置に関する。
【背景技術】
【０００２】
建屋のエレベータ乗り場には、エレベータの乗りかごに対する乗降用のドア装置が設けられている。このドア装置は、通常時には閉鎖されていて、昇降路内を昇降する乗りかごがそのエレベータ乗り場に着床して停止した際に、乗りかごのかごドア装置に駆動されて開閉動作するようになっている。
【０００３】
図１１には、従来の中央両開き式の乗り場ドア装置を昇降路側から見た正面図を示してある。建屋のエレベータ乗り場の壁面には乗降口としての開口部１が形成され、この開口部１の上部側の壁面に左右方向に延びる横枠２が取り付けられ、この横枠２にハンガーレール３が水平に架設されている。
【０００４】
ハンガーレール３には、ハンガー４ａ，４ｂおよびハンガーローラ５ａ，５ｂを介して一対のドアパネル６ａ，６ｂが懸架され、これらドアパネル６ａ，６ｂがハンガーレール３に沿って左右に対称的に移動して開口部１を開閉するようになっている。
【０００５】
また、開口部１の下部には、エレベータ乗り場の床面とほぼ面一に敷居７が取り付けられ、この敷居７の上面にガイド溝８が形成されている。ハンガーレール３に懸架された各ドアパネル６ａ，６ｂの下端部にはガイドシュー９ａ，９ｂが取り付けられ、これらガイドシュー９ａ，９ｂが前記敷居７のガイド溝８内に摺動自在に嵌合し、各ドアパネル６ａ，６ｂが前記ガイド溝８に沿って移動するようになっている。一般に、ガイドシュー９ａ，９ｂには、ガイド溝８との摩擦を低減するために、樹脂材が装着されている。
【０００６】
ところで、高層の建屋においては、特に冬期などの屋内外の気温差があるときに、エレベータの昇降路内の上昇気流が強くなり、昇降路内と乗り場との間の気圧差が大きくなり、この気圧差で特にドアパネルの戸閉直前に前記ガイドシューが敷居のガイド溝の側面に強く押し付けられ、摩擦抵抗が増し、ドアパネルが停止して全閉動作に支障が生じることがある。
【０００７】
近年においては、万一の火災に備え、ドアパネル閉鎖時の密閉性を高めるようにした遮煙構造のドア装置が採用されるようになってきており、より一層ドアパネルの内側と外側との気圧差が増大する傾向が強くなってドアパネルの全閉動作に支障が生じやすくなっている。
【０００８】
また、１階フロアの出入口付近に設置されている乗り場ドアパネルなどにあっては、屋外から吹き込む風圧により戸閉直前にガイドシューが敷居のガイド溝の側面に強く押し付けられ、摩擦抵抗が増し、ドアパネルの全閉動作に支障が生じることがある。
【０００９】
そこで、従来から、ドアパネルの下端部に回転自在なローラを設け、このローラを敷居のガイド溝内に遊嵌し、このローラの回転でドアパネル開閉時の摩擦抵抗を低減したり、あるいはドアパネルの下端部に回転自在なローラと摺動子とを設け、これらローラと摺動子とをガイド溝内に遊嵌し、通常時にはローラの回転でドアパネル開閉時の摩擦抵抗を低減し、過大な負荷や疲労でローラが破損したような場合には、前記摺動子でドアパネルをガイドするようにした技術が提案されている。
【発明の開示】
【発明が解決しようとする課題】
【００１０】
上述の従来の技術では、ドアパネルが開閉する動作中に常にローラがガイド溝に接触して回転する。ドアパネルは頻繁に開閉動作し、このためその開閉動作の開始から終了まで常にローラがガイド溝の側面と接触して回転すると、ローラが早期に劣化し、耐久性が低下する。
【００１１】
ローラは、ガイド溝の側面と小さな面積で接触し、このため大きな荷重がかかると面圧が過大となって損傷や疲労破壊を早期に起こしてしまう。ローラの表面は、走行音やがたつき音を防止したり、摩耗や摩耗による汚れの付着などを防止することから、金属や高硬度の樹脂を用いず、比較的硬度の低い樹脂が材料として用いられ、このためより一層劣化が早まってしまう。
【００１２】
また、ドアパネルの下端部に軸を介してローラを設け、このローラを敷居のガイド溝内に遊嵌する構造であると、風圧などによりドアパネルに過大な荷重が加わると、前記軸が曲がったり、疲労破壊を起し、ドアパネルを適正にガイドすることが困難となる恐れがある。
【００１３】
この発明は、このような点に着目してなされたもので、その目的とするところは、ドアパネルに気圧差や風圧などによる押し付け力が加わっても、常にそのドアパネルを所定の戸閉位置にまで円滑に移動させることができるともに、そのドアパネルをガイドするガイド機構の損傷を長期間に渡って防止して耐久性を高めることができるエレベータの乗り場ドア装置を提供することにある。
【課題を解決するための手段】
【００１４】
請求項１の発明は、エレベータ乗り場の乗降口上部に移動自在に懸架されてその乗降口を開閉するドアパネルと、前記ドアパネルの下方に設けられ、上面にガイド溝を有する敷居と、前記ドアパネルの下部から突出して前記敷居のガイド溝内に嵌合された摺動部材と、
外周面の一部が前記ガイド溝の側面から突出するように前記敷居に回転自在に設けられたローラと、前記ドアパネルの下部から突出して前記敷居のガイド溝内に該ガイド溝の側面と接触せずに挿入され、前記ドアパネルが戸閉方向に移動して戸閉直前の位置に達するときに前記ローラに接触するガイド部材とを具備することを特徴としている。
【００１５】
請求項２の発明は、前記摺動部材と前記ローラは上下に位置をずらして設けられ、その位置のずれにより前記ドアパネルの移動時に前記摺動部材と前記ローラとが接触しない構成となっていることを特徴としている。
【００１６】
請求項３の発明は、前記ドアパネルの１枚に対して、少なくとも２個の摺動部材と、少なくとも２個のローラと、少なくとも２個のガイド部材とを備え、前記ドアパネルの戸袋側に配置する前記ローラの前記ガイド溝の側面に対する突出量が、前記ドアパネルの戸当り側に配置する前記ローラの前記ガイド溝の側面に対する突出量より小さい関係にあり、この関係により前記ドアパネルの戸当り側に配置する前記摺動部材が前記ドアパネルの戸袋側に配置する前記ローラと接触せずに通過することが可能となっていることを特徴としている。
【００１７】
請求項４の発明は、前記ローラが転がり軸受で構成され、前記ガイド部材が金属または合成樹脂により構成されていることを特徴としている。
【００１８】
請求項５の発明は、前記ローラおよびガイド部材が、建屋の特定の階床のエレベータ乗り場に対してのみ設けられていることを特徴としている。
【発明の効果】
【００１９】
この発明によれば、ドアパネルに気圧差や風圧などによる押し付け力が加わっても、常にそのドアパネルを所定の戸閉位置にまで円滑に移動させることができるともに、そのドアパネルをガイドするガイド機構の損傷を長期間に渡って防止して耐久性を高めることができる。
【発明を実施するための最良の形態】
【００２０】
以下、この発明の実施の形態について図１〜図１０を参照して説明する。なお、図に示す従来の構成と対応する部分には同一符号を付してその重複する説明を省略する。
【００２１】
図１には、中央両開き式の一対のドアパネル６ａ，６ｂの下部の構造を示してある。一対のドアパネル６ａ，６ｂは従来と同様にハンガーおよびハンガーローラを介してハンガーレールに懸架され、そのハンガーレールに沿って左右に対称的に移動する。
【００２２】
図１は、一対のドアパネル６ａ，６ｂの戸当り縁が互いに突き当たる戸閉状態を示してあり、この状態から戸開時にドアパネル６ａ，６ｂが戸当り部１０の反対側の戸袋側に移動して戸袋１１に収納され、また戸閉時にドアパネル６ａ，６ｂが戸当り側に移動して互いに突き当り、所定の戸当り部１０で停止する。
【００２３】
さらに、各ドアパネル６ａ，６ｂの周縁部にはシール部材（図示せず）が設けられ、戸閉時にそのシール部材によりドアパネル６ａ，６ｂと建屋の壁面開口部に設けられた三方枠（図示せず）との間の隙間、ドアパネル６ａ，６ｂと敷居７との間の隙間、およびドアパネル６ａ，６ｂの戸当り間の隙間がそれぞれ密閉されるようになっている。
【００２４】
ドアパネル６ａの下部には、戸袋側と戸当り側とに位置してそれぞれ台座１５，１６が取り付けられている。そして、戸当り側の台座１５には第１のガイドシュー１８と第１のガイド部材１９とが互いに左右に隣り合って取り付けられ、戸袋側の台座１６には第２のガイドシュー２０と第２のガイド部材２１とが互いに左右に隣り合って取り付けられている。
【００２５】
各ガイドシュー１８，２０は、図２に示すように、それぞれ下端部に樹脂製の摺動部材２４を有し、これら摺動部材２４が敷居７のガイド溝８内に摺動自在に嵌合されている。各ガイド部材１９，２１は、金属からなる板材で、図３に示すように、その下部が敷居７のガイド溝８内に挿入されている。
【００２６】
前記ガイド溝８における昇降路側の側面８ａには、ドアパネル６ａに対応する第１および第２のローラ２６，２７が敷居７の長手方向に沿って互いに離間して設けられている。各ローラ２６，２７は、図３に示すように、支持軸２９を介して回転自在に支持された転がり玉軸受からなり、敷居７の部分箇所に形成された切欠部３０内に収納されている。
【００２７】
支持軸２９は、敷居７の下面に設けられたベース板３１を貫通して敷居７に垂直に挿入され、ナット３２を介して固定されている。そして支持軸２９を介してローラ２６，２７としての玉軸受がその垂直軸回り方向に回転自在に支持されている。
【００２８】
ローラ２６，２７はガイド溝８の上下方向の下部に配置され、その外周の一部がガイド溝８内に突出している。前記ガイドシュー１８，２０の摺動部材２４は前記ローラ２６，２７とは干渉しないガイド溝８内の上下方向の上部に配置されている。また、前記ガイド部材１９，２１はガイド溝８内の下部に達する位置まで挿入されている。
【００２９】
図４には、ドアパネル６ａの戸閉時におけるローラ２６，２７とガイド部材１９，２１との位置関係を示す平面視の断面図を示してあり、戸当り側に配置する第１のローラ２６にあっては、ガイド溝８の側面８ａからの突出量がｆで、戸袋側に配置する第２のローラ２７にあっては、ガイド溝８の側面８ａからの突出量がｇとなっている。そしてｆ＞ｇの関係にあり、例えばｆは２ｍｍ、ｇは１ｍｍとなっている。
【００３０】
また、戸当り側に配置する第１のガイド部材１９にあっては、ガイド溝８の側面８ａとの離間距離が前記ｆの寸法とほぼ同じで、戸袋側に配置する第２のガイド部材２１にあっては、ガイド溝８の側面８ａとの離間距離が前記ｇの寸法とほぼ同じとなっている。
【００３１】
また、各ガイド部材１９，２１には、戸当り側でかつガイド溝８の側面８ａと対向する側の縁部に面取り状に傾斜するガイド面１９ａ，２１ａがそれぞれ形成されている。
【００３２】
なお、図１に示すように、中央両開き式の他方のドアパネル６ｂにおいても、前記と同様の構造のガイドシュー１８，２０、ガイド部材１９，２１、ローラ２６，２７が一方のドアパネル６ａと戸当り部１０を境として対称的に設けられている。
【００３３】
次に、作用について説明する。
【００３４】
図５〜図７には、ドアパネル６ａが戸袋側から戸当り側に移動して戸閉するときの動作を順に示してある。図５は、ドアパネル６ａの各ガイド部材１９，２１が各ローラ２６，２７よりも戸袋側に配置しているときの状態であり、この状態からドアパネル６ａが戸当り側に移動して図６に示すように第１のガイド部材１９が第２のローラ２７の配設部分を通過する。このときには図４に示すｆ＞ｇの関係により第１のガイド部材１９は第２のローラ２７と接触せずに、その第２のローラ２７の配設位置を通過する。なお、ガイドシュー１８の摺動部材２４は、ローラ２７とは上下に位置をずらして配置されているから、ローラ２７とは干渉せずに通過する。
【００３５】
そしてドアパネル６ａが図７に示すように戸閉直前の位置、例えば戸当り部１０の手前側１０〜２０ｍｍの位置にまで移動したときに、第１のガイド部材１９が第１のローラ２６の配設位置に達し、第２のガイド部材２１が第２のローラ２７の配設位置に達し、この後、ｆ＞ｇの関係により図４に示すように第１のガイド部材１９が第１のローラ２６に接触し、第２のガイド部材２１が第２のローラ２７に接触し、各ガイド部材１９，２１の移動に応じて各ローラ２６，２７が回転し、この状態を保ってドアパネル６ａが所定の戸当り部１０まで移動して停止する。
【００３６】
なお、他方のドアパネル６ｂにおいても、同様の動作で戸袋側から戸当り側に移動し、その双方のドアパネル６ａ，６ｂの戸当り縁が互いに突き当たって戸閉する。
【００３７】
ところで、エレベータ乗り場に強風が吹き込んだときには、その風圧がドアパネル６ａ，６ｂに作用し、ドアパネル６ａ，６ｂが昇降路側に押し付けられるが、ドアパネル６ａ，６ｂが戸袋側に配置する戸開状態のもとでは、風を受けるドアパネル６ａ，６ｂの面積が小さく、このためその押し付け力も弱い。そしてドアパネル６ａ，６ｂが戸閉方向に移動するに従い、風を受けるドアパネル６ａ，６ｂの面積が増し、風圧による押し付け力が増大し、戸閉直前から戸閉完了までの間に押し付け力が最も大きくなる。
【００３８】
ここで、本実施形態においては、風圧による押し付け力の弱い戸閉の途中までは、ドアパネル６ａ，６ｂはガイドシュー１８，２０の摺動部材２４を介してガイド溝８に沿って移動するようにガイドされる。このときには、ドアパネル６ａ，６ｂに作用する押し付け力が弱く、摺動部材２４とガイド溝８の側面８ａとの間に摩擦力が小さく、したがってドアパネル６ａ，６ｂが戸閉方向に円滑に移動する。
【００３９】
そして、風圧による押し付け力が増大する戸閉直前に達したときには、ドアパネル６ａ，６ｂのガイド部材１９，２１がローラ２６，２７と接触し、この接触で摺動部材２４とガイド溝８の側面８ａとの間の面圧が低減し、ドアパネル６ａ，６ｂはローラ２６，２７の回転により所定の戸当り部１０までガイドされる。
【００４０】
このように、戸閉直前において、摺動部材２４とガイド溝８の側面８ａとの間の面圧が低減してその間の摩擦力が減少するとともに、ガイド部材１９，２１がローラ２６，２７と転がり接触し、したがってドアパネル６ａ，６ｂが風圧による押し付け力の増す戸閉直前に達しても、動作が停止することなく、的確に所定の戸閉位置にまで移動する。
【００４１】
また、戸閉状態からドアパネル６ａ，６ｂが戸開方向に移動する際にも、風圧による強い押し付け力を受ける戸開当初には、ガイド部材１９，２１がローラ２６，２７の回転によりガイドされ、ガイドシュー１８，２０の摺動部材２４とガイド溝８の側面８ａとの間の摩擦力が軽減され、したがってドアパネル６ａ，６ｂが円滑に戸開方向に移動する。
【００４２】
以上の説明は、エレベータ乗り場に強風が吹き込む場合であるが、乗り場側と昇降路側との間の気圧差でドアパネル６ａ，６ｂに昇降路側に向く押し付け力が加わる場合においても同様である。
【００４３】
すなわち、乗り場側と昇降路側との間の気圧差は、ドアパネル６ａ，６ｂが開放して乗り場側と昇降路側とが大きな開口面積で通じるときには小さく、ドアパネル６ａ，６ｂが戸閉方向に移動してその面積が狭まるにつれて大きくなり、ドアパネル６ａ，６ｂに作用する押し付け力が増大する。
【００４４】
また、エレベータの昇降路内の気温が外気より高く、ドアパネル６ａ，６ｂの外面が冷たい外気に触れているような場合、戸開時にはドアパネル６ａ，６ｂ内外の気圧差は解消されているが、戸閉時には大きな気圧差が生じる。したがって、このような場合には、戸直前に急激に気圧差が大きくなり、押し付け力が高まる。そのため、戸閉直前から戸閉完了までの間に押し付け力が最も大きくなる。
【００４５】
そして、気圧差による押し付け力が増大する戸閉直前のときに、ドアパネル６ａ，６ｂのガイド部材１９，２１がローラ２６，２７と接触し、これらローラ２６，２７の回転によりドアパネル６ａ，６ｂが戸閉完了までガイドされ、これによりガイドシュー１８，２０の摺動部材２４とガイド溝８の側面８ａとの間の摩擦力が軽減され、したがってドアパネル６ａ，６ｂが気圧差による押し付け力の増す戸閉直前に達しても、停止することなく、的確に所定の戸閉位置にまで移動する。
【００４６】
ガイド部材１９，２１はローラ２６，２７と常時接触するのではなく、ドアパネル６ａ，６ｂが戸閉直前の位置に達した後に接触し、それ以前にはガイド部材１９，２１とローラ２６，２７とは非接触状態に保たれる。このため、ローラ２６，２７の実動作時間を短縮して耐久性を高めることができ、また戸閉直前のドアパネル６ａ，６ｂの速度の低い時にのみガイド部材１９，２１とローラ２６，２７が接触するので、ローラ２６，２７が回転するときの騒音を抑えることができる。
【００４７】
前記実施形態においては、ドアパネル６ａ，６ｂが昇降路側に押し付けられる場合であるが、高層ビルの最上階付近などのように、昇降路側の気圧がエレベータ乗り場側より大きくなり、ドアパネル６ａ，６ｂが乗り場側に押し付けられる場合においては、図８〜図１０に第２の実施形態として示すように構成する。
【００４８】
この第２の実施形態においては、ローラ２６，２７が敷居７におけるガイド溝８を境とする乗り場側に設けられ、そのローラ２６，２７の外周面の一部がガイド溝８の乗り場側の側面８ｂから突出する構成となっている。
【００４９】
そして、ドアパネル６ａが戸袋側から戸当り側に移動して戸閉する直前のときに、第１のガイド部材１９が第１のローラ２６に接触し、第２のガイド部材２１が第２のローラ２７に接触し、各ローラ２６，２７の回転でドアパネル６ａが所定の戸当り部まで移動して停止する。
【００５０】
この際、ドアパネル６ａはエレベータ乗り場側に押し付けられているが、その押し付け力が増大する戸閉直前に達したときに、上述のように、ドアパネル６ａのガイド部材１９，２１がローラ２６，２７と接触し、この接触で摺動部材２４とガイド溝８の側面８ｂとの間の面圧が低減し、かつドアパネル６ａがローラ２６，２７の回転による転がり接触でガイドされるから、ドアパネル６ａの途中停止を防止して的確に所定の戸閉位置にまでドアパネル６ａを移動させることができる。
【００５１】
そしてこの第２の実施形態の場合においても、ガイド部材１９，２１はローラ２６，２７と常時接触するのではなく、ドアパネル６ａが戸閉直前の位置に達した後に接触し、それ以前にはガイド部材１９，２１とローラ２６，２７とが非接触状態に保たれるため、ローラ２６，２７の実動作時間を短縮して耐久性を高めることができ、またローラ２６，２７が回転するときの騒音を短時間に抑えることができる。
【００５２】
なお、前記各実施形態においては、ガイド部材がローラに接触したときに、その接触の圧力で摺動部材とガイド溝の側面との間の面圧を低減させてその間の摩擦力を減少させるようにしたが、ドアパネルが戸閉直前に達する位置において、ガイド溝の幅が若干広がるように加工して摺動部材とガイド溝の側面との間の摩擦力を無くすように構成することも可能である。
【００５３】
前記ガイド部材やローラは、建屋の各階のエレベータ乗り場に対して設ける場合に限らず、例えば建屋の１階フロアや駐車場が設けられた地階フロアなどのように、特に風が吹き込み易い階床のみに設けるような場合であってもよく、これによりコストの引き下げが可能となる。
【００５４】
前記実施形態ではガイド部材を金属製としたが、厚さが十分確保できるので、樹脂やエンジニアリングプラスチックを用いることも可能である。また、前記実施形態ではローラとして玉軸受を用いたが、滑らかに回転するように支持された樹脂製や金属製の回転体を用いることも可能である。
【００５５】
前記実施形態では、戸当り側に配置するガイド部材を戸当り側の摺動部材の戸閉方向後側（戸袋側）に位置させ、戸袋側のガイド部材を戸袋側の摺動部材の戸閉方向先側（戸当り側）に位置させたが、これらの部品の配置は、レイアウトやドアパネルの部分的な剛性などにより適宜変更することが可能である。
【００５６】
特に、戸当り側の摺動部材の戸閉方向先側にガイド部材とローラを配置すると、そのローラ近傍を摺動部材が通過することがないので、ローラの直径を大きくしたり、ローラの軸方向高さを増大させたりして、剛性や強度を高めることができる。
【００５７】
また、前記実施形態では、１枚のドアパネルに対して、それぞれ２個のガイド部材と２個のローラを設けたが、１個としたり３個以上とするような場合であってもよい。特に、戸当り側の摺動部材の戸閉方向先側にガイド部材とローラとを１個ずつだけ設けるようにすると、構造が簡単となるともに、摺動部材とローラとの高さに差を設ける必要がなくなるので、敷居のガイド溝を摺動部材とローラの双方を収容できる深さにしなくてもよくなる。このため、既設のエレベータに対しても、少ない改造で容易にガイド部材とローラを組み付けることができる。
【００５８】
前記実施形態では、中央両開き式のドア装置について説明したが、片開き式のドア装置においてもこの発明を同様に適用して同様の効果を得ることが可能である。
【図面の簡単な説明】
【００５９】
【図１】この発明の第１の実施形態に係る乗り場ドア装置の下部の構造を示す正面図。
【図２】そのドア装置の一部の構造を拡大して示す断面図。
【図３】そのドア装置の他の一部の構造を拡大して示す断面図。
【図４】そのドア装置の要部の平面視の断面図。
【図５】そのドア装置の戸閉時の第１段階の状態を示す平面視の断面図。
【図６】そのドア装置の戸閉時の第２段階の状態を示す平面視の断面図。
【図７】そのドア装置の戸閉時の第３段階の状態を示す平面視の断面図。
【図８】この発明の第２の実施形態に係る乗り場ドア装置の要部の平面視の断面図。
【図９】そのドア装置の一部の構造を拡大して示す断面図。
【図１０】そのドア装置の他の一部の構造を拡大して示す断面図。
【図１１】従来の乗り場ドア装置を示す正面図。
【符号の説明】
【００６０】
１…開口部
２…横枠
３…ハンガーレール
５ａ，５ｂ…ハンガーローラ
６ａ，６ｂ…ドアパネル
７…敷居
８…ガイド溝
１０…戸当り部
１１…戸袋
１８…ガイドシュー
１９…ガイド部材
２０がイドシュー
２１ガイド部材
２４…摺動部材
２６，２７…ローラ
【図１】
2005096980.tif 000003
【図２】
2005096980.tif 000004
【図３】
2005096980.tif 000005
【図４】
2005096980.tif 000006
【図５】
2005096980.tif 000007
【図６】
2005096980.tif 000008
【図７】
2005096980.tif 000009
【図８】
2005096980.tif 000010
【図９】
2005096980.tif 000011
【図１０】
2005096980.tif 000012
【図１１】
2005096980.tif 000013